(57)【特許請求の範囲】
【請求項１】
ノード装置を含む光ＩＰ（Internet Protocol）ネットワークにおいてネットワーク敷設時または増設時に２つのノード装置間に新設されるリンクを介して互いに通信可能に接続された一方のノード装置とその隣り合うノード装置とが前記リンクに関するネットワーク情報をそれぞれ設定するネットワーク情報設定方法であって、
前記一方のノード装置および前記隣り合うノード装置は、前記ネットワークの中でノード装置を一意に識別するユニークなノード識別子を記憶する記憶手段を備え、
前記一方のノード装置および前記隣り合うノード装置は、
前記ネットワーク敷設時または増設時に自ノード装置に前記リンクが接続されたことをトリガに、前記ネットワークのサービスを行うために前記リンクに関して自ノード装置側に設定することが必要なパラメータ情報を、前記記憶手段に予め保持した元となる情報である前記ノード識別子と、インタフェースにケーブルが挿入されたときに生成した所定値とを組み合わせて自動払い出しすることにより生成するパラメータ生成ステップと、
前記ネットワーク敷設時または増設時に前記一方のノード装置と前記隣り合うノード装置との間で、前記パラメータ情報を交換し、前記生成されたパラメータ情報と取得したパラメータ情報とを関連付けて前記ネットワーク情報として設定するパラメータ交換ステップと、
を含んで実行し、
前記パラメータ交換ステップは、
前記一方のノード装置によって、
前記隣り合うノード装置に対して、前記隣り合うノード装置で生成された前記パラメータ情報の取得を要求するために、自ノード装置で自動払い出しした前記パラメータ情報を含むパラメータ交換要求を送信し、
前記隣り合うノード装置によって、
前記パラメータ交換要求を受信し、
前記受信したパラメータ交換要求に含まれる前記パラメータ情報を自ノード装置で自動払い出しした前記パラメータ情報に関連付けて前記記憶手段に格納し、
前記パラメータ交換要求に応じて、前記自ノード装置で自動払い出しした前記パラメータ情報を前記一方のノード装置に返信し、
前記一方のノード装置によって、
前記パラメータ交換要求に応じて前記隣り合うノード装置から送信された前記パラメータ情報を受信し、
前記受信した前記パラメータ情報を自ノード装置で自動払い出しした前記パラメータ情報に関連付けて前記記憶手段に格納する、
ことを特徴とするネットワーク情報設定方法。
【請求項２】
前記一方のノード装置および前記隣り合うノード装置の少なくとも一方は、
自ノード装置で生成したパラメータ情報、および、自ノード装置の隣に配置されたノード装置から取得したパラメータ情報のうちの少なくとも一方を管理装置に通知する通知ステップをさらに実行することを特徴とする請求項１に記載のネットワーク情報設定方法。
【請求項３】
前記パラメータ情報は、
自ノード装置に接続される前記リンクのうち、当該リンクの監視用の制御信号、運用時の制御信号およびデータが流れるデータリンクを制御する制御信号が流れる制御リンクに関する自ノード装置の属性情報を示すことを特徴とする請求項１または請求項２に記載のネットワーク情報設定方法。
【請求項４】
前記制御リンクは、前記一方のノード装置と前記隣り合うノード装置との間で、運用側の制御リンクと予備側の制御リンクとからなる冗長構成を有し、
前記パラメータ生成ステップは、
前記パラメータ情報として、前記運用側の制御リンクに関する情報を生成するステップと、
前記パラメータ情報として、前記予備側の制御リンクに関する情報を生成するステップとを含み、
前記パラメータ交換ステップは、
前記パラメータ情報として、前記運用側の制御リンクに関する情報を交換するステップと、
前記パラメータ情報として、前記予備側の制御リンクに関する情報を交換するステップとを含むことを特徴とする請求項３に記載のネットワーク情報設定方法。
【請求項５】
前記パラメータ生成ステップは、
前記生成した運用側および予備側の制御リンクに関する情報と関連付けて保持するために、前記パラメータ情報として、１つの論理チャネルの情報をさらに生成し、
前記パラメータ交換ステップは、
前記パラメータ情報として、前記論理チャネルの情報を交換するステップをさらに含むことを特徴とする請求項４に記載のネットワーク情報設定方法。
【請求項６】
前記パラメータ情報は、
自ノード装置に接続される前記リンクのうち、データが流れるデータリンクに関する自ノード装置の属性情報を示すことを特徴とする請求項１または請求項２に記載のネットワーク情報設定方法。
【請求項７】
前記データリンクは、前記一方のノード装置と前記隣り合うノード装置との間で、複数のデータリンクを論理的に１つに束ねたリンクを示すバンドルリンクの構成を有し、
前記パラメータ生成ステップは、
前記パラメータ情報として、前記複数のデータリンクの情報を生成するステップと、
前記パラメータ情報として、前記複数のデータリンクに関する情報と関連付けて保持するために前記バンドルリンクの情報を生成するステップとを含み、
前記パラメータ交換ステップは、
前記パラメータ情報として、前記複数のデータリンクに関する情報を交換するステップと、
前記パラメータ情報として、前記バンドルリンクの情報を交換するステップとを含むことを特徴とする請求項６に記載のネットワーク情報設定方法。
【請求項８】
ノード装置を含む光ＩＰネットワークにおいてネットワーク増設時に２つのノード装置間に新設されるリンクを介して互いに通信可能に接続された一方のノード装置とその隣り合うノード装置とを備え、当該新設されるリンクに関するネットワーク情報を前記リンクの両端に接続される各ノード装置にそれぞれ設定するネットワーク情報設定システムであって、
前記一方のノード装置および前記隣り合うノード装置は、
前記ネットワークの中でノード装置を一意に識別するユニークなノード識別子を記憶する記憶手段と、
前記ネットワーク敷設時または増設時に自ノード装置に前記リンクが接続されたことをトリガに、前記ネットワークのサービスを行うために前記リンクに関して自ノード装置側に設定することが必要なパラメータ情報を、前記記憶手段に予め保持した元となる情報である前記ノード識別子と、インタフェースにケーブルが挿入されたときに生成した所定値とを組み合わせて自動払い出しすることにより生成するパラメータ生成手段と、
前記ネットワーク敷設時または増設時に前記一方のノード装置と前記隣り合うノード装置との間で、前記パラメータ情報を交換し、前記生成されたパラメータ情報と取得したパラメータ情報とを関連付けて前記ネットワーク情報として設定するパラメータ交換手段と、を備え、
前記一方のノード装置の前記パラメータ交換手段は、
前記隣り合うノード装置に対して、前記隣り合うノード装置で生成された前記パラメータ情報の取得を要求するために、自ノード装置で自動払い出しした前記パラメータ情報を含むパラメータ交換要求を送信するパラメータ交換要求送信手段と、
前記パラメータ交換要求に応じて前記隣り合うノード装置から送信された前記パラメータ情報を受信するパラメータ情報受信手段と、
前記受信したパラメータ情報を、自ノード装置で自動払い出しした前記パラメータ情報に関連付けて前記記憶手段に格納する格納手段とを備え、
前記隣り合うノード装置の前記パラメータ交換手段は、
前記一方のノード装置から、前記パラメータ交換要求を受信するパラメータ交換要求受信手段と、
前記受信したパラメータ交換要求に含まれる前記パラメータ情報を、自ノード装置で自動払い出しした前記パラメータ情報に関連付けて前記記憶手段に格納する格納手段と、
前記パラメータ交換要求に応じて、前記自ノード装置で自動払い出しした前記パラメータ情報を、前記一方のノード装置に送信するパラメータ情報送信手段とを備える、
ことを特徴とするネットワーク情報設定システム。
【請求項９】
ノード装置を含む光ＩＰネットワークにおいてネットワーク増設時に２つのノード装置間に新設されるリンクを介して互いに通信可能に接続された一方のノード装置とその隣り合うノード装置とを備え、当該新設されるリンクに関するネットワーク情報を前記リンクの両端に接続される各ノード装置にそれぞれ設定するネットワーク情報設定システムにおけるノード装置であって、
前記ネットワークの中でノード装置を一意に識別するユニークなノード識別子を記憶する記憶手段と、
前記ネットワーク敷設時または増設時に自ノード装置にリンクが接続されたことをトリガに、前記ネットワークのサービスを行うために前記リンクに関して自ノード装置側に設定することが必要なパラメータ情報を、前記記憶手段に予め保持した元となる情報である前記ノード識別子と、インタフェースにケーブルが挿入されたときに生成した所定値とを組み合わせて自動払い出しすることにより生成するパラメータ生成手段と、
前記ネットワーク敷設時または増設時に自ノード装置とその隣り合うノード装置との間で、前記パラメータ情報を交換し、前記生成されたパラメータ情報と取得したパラメータ情報とを関連付けて前記ネットワーク情報として設定するパラメータ交換手段と、を備え、
前記パラメータ交換手段は、
隣に配置された前記ノード装置に対して、前記隣に配置されたノード装置で生成された前記パラメータ情報の取得を要求するために、自ノード装置で自動払い出しした前記パラメータ情報を含むパラメータ交換要求を送信するパラメータ交換要求送信手段と、
前記パラメータ交換要求に応じて前記隣に配置されたノード装置から送信された前記パラメータ情報を受信するパラメータ情報受信手段と、
前記受信したパラメータ情報を、自ノード装置で自動払い出しした前記パラメータ情報に関連付けて前記記憶手段に格納する格納手段とを備える構成、
および、
隣に配置された前記ノード装置から、前記パラメータ交換要求を受信するパラメータ交換要求受信手段と、
前記受信したパラメータ交換要求に含まれるパラメータ情報を、自ノード装置で自動払い出しした前記パラメータ情報に関連付けて前記記憶手段に格納する格納手段と、
前記パラメータ交換要求に応じて、前記自ノード装置で自動払い出しした前記パラメータ情報を、前記隣に配置されたノード装置に送信するパラメータ情報送信手段とを備える構成のうちの少なくともいずれかである、
ことを特徴とするノード装置。
【発明の詳細な説明】
【技術分野】
【０００１】
本発明は、ネットワークに接続された複数のノード装置を用いたネットワークサービスを提供するために必要なネットワーク情報を設定するノード装置、そのノード装置を備えたネットワーク情報設定システム、およびそのネットワーク情報設定方法に関する。
【背景技術】
【０００２】
従来、ノード装置を含む光ＩＰ（Internet Protocol）網において、ノード装置またはノード装置を管理するための管理装置のオペレータ（以下、単にオペレータという）は、各ノード装置を接続するリンクの設定内容をそれぞれのノード装置に登録する。そして、光ＩＰ網のネットワーク敷設／増設時に、予め登録されたデータリンクの設定内容（各種パラメータ情報）を管理するために、ノード装置に設定されたリンクの設定内容の確認等が行われている。パラメータ設定内容の確認や、パラメータ設定誤りのネゴシエーションを行うことによりネットワークサービス提供を可能とするリンク管理方式として、ＬＭＰ（Link Management Protocol）が知られている（例えば、非特許文献１参照）。
【非特許文献１】J. Lang、“Link Management Protocol (LMP)”、[online]、2005年10月、RFC4204（Network Working Group Request for Comments:4204）、[平成19年10月22日検索]、インターネット<ＵＲＬ：http://www.ietf.org/rfc/rfc4204.txt>
【発明の開示】
【発明が解決しようとする課題】
【０００３】
しかしながら、非特許文献１に開示された現在の規定では、オペレータが事前に設定パラメータ内容を決定し、パラメータを事前に設定する必要がある。例えば、ネットワーク増設時には、増設したノード装置および当該ノード装置に接続されるノード装置に対して、２つのノード装置間に新設されるデータリンクをオペレータが設定（登録）する作業を行わなければならない。そのため、オペレータの負担が大きく、さらに人為的な登録ミスが生じる場合がある。
【０００４】
そこで、本発明では、前記した問題を解決し、人手に頼らずにネットワーク情報を自動設定するネットワーク情報設定方法、ネットワーク情報設定システムおよびノード装置を提供することを目的とする。
【課題を解決するための手段】
【０００５】
前記課題を解決するため、請求項１に記載のネットワーク情報設定方法は、ノード装置を含む光ＩＰ（Internet Protocol）ネットワークにおいてネットワーク敷設時または増設時に２つのノード装置間に新設されるリンクを介して互いに通信可能に接続された一方のノード装置とその隣り合うノード装置とが前記リンクに関するネットワーク情報をそれぞれ設定するネットワーク情報設定方法であって、前記一方のノード装置および前記隣り合うノード装置は、前記ネットワークの中でノード装置を一意に識別するユニークなノード識別子を記憶する記憶手段を備え、前記一方のノード装置および前記隣り合うノード装置が、前記ネットワーク敷設時または増設時に自ノード装置に前記リンクが接続されたことをトリガに、前記ネットワークのサービスを行うために前記リンクに関して自ノード装置側に設定することが必要なパラメータ情報を、前記記憶手段に予め保持した元となる情報である前記ノード識別子と、インタフェースにケーブルが挿入されたときに生成した所定値とを組み合わせて自動払い出しすることにより生成するパラメータ生成ステップと、前記ネットワーク敷設時または増設時に前記一方のノード装置と前記隣り合うノード装置との間で、前記パラメータ情報を交換し、前記生成されたパラメータ情報と取得したパラメータ情報とを関連付けて前記ネットワーク情報として設定するパラメータ交換ステップと、を含んで実行し、前記パラメータ交換ステップは、前記一方のノード装置によって、前記隣り合うノード装置に対して、前記隣り合うノード装置で生成された前記パラメータ情報の取得を要求するために、自ノード装置で自動払い出しした前記パラメータ情報を含むパラメータ交換要求を送信し、前記隣り合うノード装置によって、前記パラメータ交換要求を受信し、前記受信したパラメータ交換要求に含まれる前記パラメータ情報を自ノード装置で自動払い出しした前記パラメータ情報に関連付けて前記記憶手段に格納し、前記パラメータ交換要求に応じて、前記自ノード装置で自動払い出しした前記パラメータ情報を前記一方のノード装置に返信し、前記一方のノード装置によって、前記パラメータ交換要求に応じて前記隣り合うノード装置から送信された前記パラメータ情報を受信し、前記受信した前記パラメータ情報を自ノード装置で自動払い出しした前記パラメータ情報に関連付けて前記記憶手段に格納することを特徴とする。
【０００６】
かかる手順によれば、リンクを介して互いに通信可能に接続されているノード装置および隣り合うノード装置は、まず、リンクに関して自ノード装置側に設定することが必要なパラメータ情報をそれぞれ自動的に払い出すことで生成し、次いで、生成したパラメータ情報を交換し、自ら生成したパラメータ情報（ローカル情報）と隣のノード装置のパラメータ情報（リモート情報）とを関連付けてリンクに関するネットワーク情報として設定する。ここで、パラメータを生成する際に、設定すべきパラメータ情報の元となる情報としては、ネットワークの中でノード装置を一意に識別するユニークなノード識別子とすることができる。また、ネットワークのサービスにリソースとして提供されるリンクがノード装置間で複数存在する場合に対応するように、ノード装置において各リンクを一意に識別するためにランダムな数値等のユニークな識別情報と、ネットワークの中でノード装置を一意に識別するノード識別子とを組み合わせることで、設定すべきパラメータ情報を生成することもできる。そして、本発明のネットワーク情報設定方法は、隣り合うノード装置間でパラメータ情報を交換するので、各ノード装置は、リンクに関してローカル情報とリモート情報とをすべて取得することができる。したがって、ネットワークのサービスを行うために必要なパラメータ情報をすべて設定することができる。
また、かかる手順によれば、各ノード装置は、自ノード装置にリンクが接続されたことをトリガにパラメータ情報を自動払い出しする。したがって、ネットワークのサービスを行うためにリンクの両端のノード装置に設定すべきパラメータ情報をプラグアンドプレイで自動設定することができる。ここで、自ノード装置にリンクが接続されたことを検出するタイミングは、ノード装置の動作中でも起動時でもよい。また、これにより、パラメータ情報を自動的に払い出す際に、例えば、インタフェースにケーブルが挿入された順番や、ケーブルを挿入するインタフェースに対応して割り当てられたスロット番号を、設定すべきパラメータ情報の元となる情報に組み合わせることも可能となる。
【０００７】
請求項２に記載のネットワーク情報設定方法は、請求項１に記載のネットワーク情報設定方法において、前記一方のノード装置および前記隣り合うノード装置の少なくとも一方が、自ノード装置で生成したパラメータ情報、および、自ノード装置の隣に配置されたノード装置から取得したパラメータ情報のうちの少なくとも一方を管理装置に通知する通知ステップをさらに実行することを特徴とする。
【０００８】
かかる手順によれば、ノード装置は、ネットワークのサービスを行うためにリンクに関するネットワーク情報を管理装置に自動送信するので、ノード装置または管理装置のオペレータの負担を軽減できる。ここで、隣り合った各ノード装置は、それぞれ生成したパラメータ情報（ローカル）については交換の前後いずれのタイミングで通知してもよい。また、各ノード装置は、それぞれ取得したパラメータ情報（リモート）を、生成したパラメータ情報（ローカル）と同時に通知してもよいし別のタイミングで通知してもよい。
【００１１】
請求項３に記載のネットワーク情報設定方法は、請求項１または請求項２に記載のネットワーク情報設定方法において、前記パラメータ情報が、自ノード装置に接続される前記リンクのうち、監視用の制御信号、運用時の制御信号およびデータが流れるデータリンクを制御するための制御信号が流れる制御リンクに関する自ノード装置の属性情報を示すことを特徴とする。
【００１２】
かかる手順によれば、各ノード装置は、自ノード装置に接続された制御リンクに関する自ノード装置の属性情報を、ローカルなパラメータ情報として自動的に払い出し、ノード装置間で交換して関連付けて登録する。ここで、制御リンクに関する属性情報は、例えば、リンク名（IF Name）やチャネルに付与するアドレス（Address）等を示す。
【００１３】
請求項４に記載のネットワーク情報設定方法は、請求項３に記載のネットワーク情報設定方法において、前記制御リンクが、前記一方のノード装置と前記隣り合うノード装置との間で、運用側の制御リンクと予備側の制御リンクとからなる冗長構成を有し、前記パラメータ生成ステップが、前記パラメータ情報として、前記運用側の制御リンクに関する情報を生成するステップと、前記パラメータ情報として、前記予備側の制御リンクに関する情報を生成するステップとを含み、前記パラメータ交換ステップが、前記パラメータ情報として、前記運用側の制御リンクに関する情報を交換するステップと、前記パラメータ情報として、前記予備側の制御リンクに関する情報を交換するステップとを含むことを特徴とする。
【００１４】
かかる手順によれば、各ノード装置は、例えば、自ノード装置に先に接続された制御リンクを運用側の制御リンク、後から接続された制御リンクを予備側の制御リンクとして自ノード装置の属性情報をパラメータ情報として自動的に払い出し、ノード装置間で交換して関連付けて登録する。これによれば、制御リンクが冗長構成をとっていたとしても、ネットワークのサービスを行うために設定することが必要なパラメータ情報を自動的にすべて設定できる。ここで、運用側の制御リンクのパラメータ情報と、予備側の制御リンクのパラメータ情報とを交換するタイミングは個別であっても同時であってもよい。
【００１５】
請求項５に記載のネットワーク情報設定方法は、請求項４に記載のネットワーク情報設定方法において、前記パラメータ生成ステップが、前記生成した運用側および予備側の制御リンクに関する情報と関連付けて保持するために、前記パラメータ情報として、１つの論理チャネルの情報をさらに生成し、前記パラメータ交換ステップが、前記パラメータ情報として、前記論理チャネルの情報を交換するステップをさらに含むことを特徴とする。
【００１６】
かかる手順によれば、各ノード装置は、ノード装置間に物理的に接続された２つの制御リンクについて、制御リンクで構成される制御プレーンにおいて論理的に１つのリンクとみなしたパラメータ情報を自動的に払い出し、ノード装置間で交換して登録することができる。
【００１７】
請求項６に記載のネットワーク情報設定方法は、請求項１または請求項２に記載のネットワーク情報設定方法において、前記パラメータ情報が、自ノード装置に接続される前記リンクのうち、データが流れるデータリンクに関する自ノード装置の属性情報を示すことを特徴とする。
【００１８】
かかる手順によれば、各ノード装置は、自ノード装置に接続されたデータリンクに関する自ノード装置の属性情報を、ローカルなパラメータ情報として自動的に払い出し、ノード装置間で交換して関連付けて登録する。ここで、データリンクに関する属性情報は、例えば、リンク名（IF Name）、インタフェース種別（IF Type）、チャネルに付与するアドレス（Address）等を示す。
【００１９】
請求項７に記載のネットワーク情報設定方法は、請求項６に記載のネットワーク情報設定方法において、前記データリンクが、前記一方のノード装置と前記隣り合うノード装置との間で、複数のデータリンクを論理的に１つに束ねたリンクを示すバンドルリンクの構成を有し、前記パラメータ生成ステップが、前記パラメータ情報として、前記複数のデータリンクの情報を生成するステップと、前記パラメータ情報として、前記複数のデータリンクに関する情報と関連付けて保持するために前記バンドルリンクの情報を生成するステップとを含み、前記パラメータ交換ステップが、前記パラメータ情報として、前記複数のデータリンクに関する情報を交換するステップと、前記パラメータ情報として、前記バンドルリンクの情報を交換するステップとを含むことを特徴とする。
【００２０】
かかる手順によれば、各ノード装置は、ノード装置間に物理的に接続された複数のデータリンクをそれぞれ登録する。また、各ノード装置は、複数のデータリンクを論理的に１つに束ねたバンドルリンクとみなしたパラメータ情報を自動的に払い出し、ノード装置間で交換する。このバンドルリンクによれば、ノード装置間で、大容量のトラフィックを転送することが可能となる。
【００２１】
請求項８に記載のネットワーク情報設定システムは、ノード装置を含む光ＩＰネットワークにおいてネットワーク増設時に２つのノード装置間に新設されるリンクを介して互いに通信可能に接続された一方のノード装置とその隣り合うノード装置とを備え、当該新設されるリンクに関するネットワーク情報を前記リンクの両端に接続される各ノード装置にそれぞれ設定するネットワーク情報設定システムであって、前記一方のノード装置および前記隣り合うノード装置が、前記ネットワークの中でノード装置を一意に識別するユニークなノード識別子を記憶する記憶手段と、前記ネットワーク敷設時または増設時に自ノード装置に前記リンクが接続されたことをトリガに、前記ネットワークのサービスを行うために前記リンクに関して自ノード装置側に設定することが必要なパラメータ情報を、前記記憶手段に予め保持した元となる情報である前記ノード識別子と、インタフェースにケーブルが挿入されたときに生成した所定値とを組み合わせて自動払い出しすることにより生成するパラメータ生成手段と、前記ネットワーク敷設時または増設時に前記一方のノード装置と前記隣り合うノード装置との間で、前記パラメータ情報を交換し、前記生成されたパラメータ情報と取得したパラメータ情報とを関連付けて前記ネットワーク情報として設定するパラメータ交換手段と、を備え、前記一方のノード装置の前記パラメータ交換手段が、前記隣り合うノード装置に対して、前記隣り合うノード装置で生成された前記パラメータ情報の取得を要求するために、自ノード装置で自動払い出しした前記パラメータ情報を含むパラメータ交換要求を送信するパラメータ交換要求送信手段と、前記パラメータ交換要求に応じて前記隣り合うノード装置から送信された前記パラメータ情報を受信するパラメータ情報受信手段と、前記受信したパラメータ情報を、自ノード装置で自動払い出しした前記パラメータ情報に関連付けて前記記憶手段に格納する格納手段とを備え、前記隣り合うノード装置の前記パラメータ交換手段が、前記一方のノード装置から、前記パラメータ交換要求を受信するパラメータ交換要求受信手段と、前記受信したパラメータ交換要求に含まれる前記パラメータ情報を、自ノード装置で自動払い出しした前記パラメータ情報に関連付けて前記記憶手段に格納する格納手段と、前記パラメータ交換要求に応じて、前記自ノード装置で自動払い出しした前記パラメータ情報を、前記一方のノード装置に送信するパラメータ情報送信手段とを備えることを特徴とする。
【００２２】
かかる構成によれば、ネットワーク情報設定システムにおいては、リンクを介して互いに通信可能に接続されているノード装置および隣り合うノード装置は、まず、リンクに関して自ノード装置側に設定することが必要なパラメータ情報を、自ノード装置にリンクが接続されたことをトリガにそれぞれ自動的に払い出すことで生成し、次いで、生成したパラメータ情報を交換し、自ら生成したパラメータ情報と隣のノード装置のパラメータ情報とを関連付けてリンクに関するネットワーク情報として設定する。そして、各ノード装置は、隣り合うノード装置間でパラメータ情報を交換するので、リンクに関するローカル側およびリモート側のすべてのパラメータ情報を取得する。したがって、ネットワークのサービスを行うために必要なパラメータ情報をすべて設定できる。
【００２３】
請求項９に記載のノード装置は、ノード装置を含む光ＩＰネットワークにおいてネットワーク増設時に２つのノード装置間に新設されるリンクを介して互いに通信可能に接続された一方のノード装置とその隣り合うノード装置とを備え、当該新設されるリンクに関するネットワーク情報を前記リンクの両端に接続される各ノード装置にそれぞれ設定するネットワーク情報設定システムにおけるノード装置であって、前記ネットワークの中でノード装置を一意に識別するユニークなノード識別子を記憶する記憶手段と、前記ネットワーク敷設時または増設時に自ノード装置にリンクが接続されたことをトリガに、前記ネットワークのサービスを行うために前記リンクに関して自ノード装置側に設定することが必要なパラメータ情報を、前記記憶手段に予め保持した元となる情報である前記ノード識別子と、インタフェースにケーブルが挿入されたときに生成した所定値とを組み合わせて自動払い出しすることにより生成するパラメータ生成手段と、前記ネットワーク敷設時または増設時に自ノード装置とその隣り合うノード装置との間で、前記パラメータ情報を交換し、前記生成されたパラメータ情報と取得したパラメータ情報とを関連付けて前記ネットワーク情報として設定するパラメータ交換手段と、を備え、前記パラメータ交換手段が、隣に配置された前記ノード装置に対して、前記隣に配置されたノード装置で生成された前記パラメータ情報の取得を要求するために、自ノード装置で自動払い出しした前記パラメータ情報を含むパラメータ交換要求を送信するパラメータ交換要求送信手段と、前記パラメータ交換要求に応じて前記隣に配置されたノード装置から送信された前記パラメータ情報を受信するパラメータ情報受信手段と、前記受信したパラメータ情報を、自ノード装置で自動払い出しした前記パラメータ情報に関連付けて前記記憶手段に格納する格納手段とを備える構成、および、隣に配置された前記ノード装置から、前記パラメータ交換要求を受信するパラメータ交換要求受信手段と、前記受信したパラメータ交換要求に含まれるパラメータ情報を、自ノード装置で自動払い出しした前記パラメータ情報に関連付けて前記記憶手段に格納する格納手段と、前記パラメータ交換要求に応じて、前記自ノード装置で自動払い出しした前記パラメータ情報を、前記隣に配置されたノード装置に送信するパラメータ情報送信手段とを備える構成のうちの少なくともいずれかであることを特徴とする。
【００２４】
かかる構成によれば、ノード装置は、隣のノード装置にリンクを介して接続されたときに、それをトリガに、リンクに関して自ノード装置側に設定することが必要なパラメータ情報を自動的に払い出し、次いで、生成したパラメータ情報を隣のノード装置と交換し、各ノード装置間のパラメータ情報を関連付けてリンクに関するネットワーク情報として設定する。したがって、ノード装置は、ローカル側およびリモート側のすべてのパラメータ情報を、ネットワークのサービスを行うために必要なパラメータ情報として設定できる。
【発明の効果】
【００２５】
本発明によれば、ノード装置は、人手に頼らずにネットワーク情報を自動設定することができる。そのため、ネットワーク内にノード装置が増設された場合に、そのノード装置を使用したサービス提供を行うために必要となる情報を自動設定できる。したがって、ノード装置間のリンクに関するネットワーク情報についてオペレータが事前にパラメータ設定を行う必要がなくサービス提供を開始することが可能となる。
【発明を実施するための最良の形態】
【００２６】
以下、図面を参照して本発明のネットワーク情報設定方法、ネットワーク情報設定システムおよびノード装置を実施するための最良の形態（以下「実施形態」という）について詳細に説明する。
【００２７】
［ネットワーク情報設定システムの全体構成の概要］
図１は、本発明の実施形態に係るネットワーク情報設定システムの構成図である。ネットワーク情報設定システム１は、ネットワークにおいてリンクを介して互いに通信可能に接続されたノード装置とその隣り合うノード装置とを備えている。図１に示すように、ネットワーク情報設定システム１は、例えば、マルチレイヤネットワークからなる光ＩＰ網１００をベースとしており、複数のノード装置２（２ａ，２ｂ，２ｃ，２ｄ）を備えている。本実施形態では、ネットワーク情報設定システム１は、ノード装置２に設定された情報を取得する管理装置３も備えている。図１において、ノード装置２や管理装置３の台数は特に限定されるものではない。なお、マルチレイヤネットワークは、異なる階層に属するノード装置が存在するネットワークである。
【００２８】
ノード装置２は、リンクに関するネットワーク情報を設定するものであり、例えば、光クロスコネクト（ＯＸＣ：Optical Cross Connect）、ルータ、スイッチ等からなる装置である。ノード装置２は、複数のインタフェース４を有している。インタフェース４は、制御プレーンのためのリンク５（以下、制御リンク５という）や、データプレーンのためのリンク６（以下、データリンク６という）としてのケーブルが接続される。なお、インタフェース４の個数は特に限定されるものではない。
【００２９】
図１に示す例では、ノード装置２ａとノード装置２ｂとの間、ノード装置２ｂとノード装置２ｃとの間、および、ノード装置２ｃとノード装置２ｄとの間には、制御リンク５とデータリンク６とがそれぞれ１本ずつ保持されている。つまり、ノード装置２ａとノード装置２ｄとは、１台のノード装置２とだけ隣り合っている。また、ノード装置２ｂとノード装置２ｃとは、２台のノード装置２と隣り合っている。したがって、図１では、ノード装置２ａ，２ｄは、境界ノード装置、ノード装置２ｂ，２ｃは中継ノード装置となっている。この場合、中継ノード装置の台数は限定されるものではない。また、制御リンク５とデータリンク６とを特に区別しない場合には単にリンクと呼ぶ。なお、リンクはノードとノードとの論理的な接続を指しており、物理的にはケーブル等がこれに相当する。
【００３０】
管理装置３は、各ノード装置２の図示しない制御チャネルおよび専用線を介して通信可能に接続されているものとする（図３参照）。なお、管理装置３をオフラインとし、必要なときに接続対象とするノード装置２に接続して使用するように構成してもよい（図１参照）。
【００３１】
ここで、制御プレーンとデータプレーンの具体例について図２を参照して説明する。図２は、図１に示した光ＩＰ網の制御プレーンとデータプレーンを説明するための説明図である。以下では、説明の都合上、図１において隣り合うノード装置２ｂとノード装置２ｃとを用いて説明し、特に区別しない場合には、ノード装置２と表記することとする。図２（ａ）に示すように、ノード装置２ｂと、ノード装置２ｃとの間に、２本の制御リンク５ａ，５ｂが接続されている。また、図２（ａ）では、制御プレーン２００とデータプレーン３００とを分けて説明するために、ノード装置２ｂと、ノード装置２ｃとの間に、さらに、８本のデータリンク６ａ〜６ｈが接続されている様子を模式的に示している。
【００３２】
このうち、制御プレーン２００は、ノード装置２ｂと、ノード装置２ｃとの間の制御リンク５ａや制御リンク５ｂにより構成されている。ノード装置２は、制御プレーン２００として構成された制御ネットワークにて、ルーティングプロトコル、シグナリングプロトコル等によるデータプレーン３００の制御機能の役割を果たすと共に、制御ネットワークの運用や監視を行う。したがって、ノード装置２ｂ，２ｃは、制御リンク５ａ，５ｂの管理、例えば、制御リンク５ａ，５ｂのケーブルと物理的に接続されるインタフェースの管理をそれぞれ必要とする。ここで、ノード装置２は、制御リンクを１本ずつ管理してもよいが、図２（ａ）に示すように、冗長構成をとる場合には、２つの制御リンク５ａ，５ｂを論理的に１つにまとめて論理チャネル２１０として管理することができる。
【００３３】
データプレーン３００は、ノード装置２ｂと、ノード装置２ｃとの間のデータリンク６ａ〜６ｈにより構成されている。ノード装置２は、データプレーン３００として構成されたネットワークにて、パケット（データ）の転送を行う。したがって、ノード装置２ｂ，２ｃは、データリンク６ａ〜６ｈの管理、例えば、データリンク６ａ〜６ｈのケーブルと物理的に接続されるインタフェースの管理をそれぞれ必要とする。ここで、ノード装置２は、データリンクを１本ずつ管理してもよいが、例えば、データリンク６ａ〜６ｄを論理的に１つに束ねて、図２（ｂ）に示すように、バンドルリンク（Bundle Link）３１０を生成することができる。同様に、ノード装置２は、データリンク６ｅ〜６ｈを論理的に１つに束ねて、図２（ｂ）に示すように、バンドルリンク３２０を生成することができる。これによれば、データプレーン３００において、大容量のトラフィックを転送できる。なお、１つに束ねるデータリンクの本数はこれに限定されず、例えば、８本のデータリンク６ａ〜６ｈを１つに束ねてもよい。
【００３４】
［ノード装置の構成］
図３は、図１に示したノード装置の一例を示す機能ブロック図である。ノード装置２は、例えば、ＣＰＵ（Central Processing Unit）と、ＲＡＭ（Random Access Memory）と、ＲＯＭ（Read Only Memory）と、ＨＤＤ（Hard Disk Drive）と、通信を行うためのＮＩＣ（Network Interface Card）等から構成されており、図３に示すように、ノード装置２は、入出力手段１０と、記憶手段２０と、パラメータ生成手段３０と、パラメータ交換手段４０と、通知手段５０とを備えている。なお、ノード装置２は、ネットワーク毎に設けられてルーティング等の処理をそれぞれ独立して行う複数のインスタンス（図示しない）を備えていてもよい。また、ノード装置２は、自身が保持する複数のデータリンクを１つに束ねて管理するためのバンドル設定を行う機能を有しているものとする。
【００３５】
入出力手段１０は、所定の情報を入出力するものであり、例えば、制御リンク５やデータリンク６としてのケーブルを差し込む複数のインタフェース４を備えている。
【００３６】
記憶手段２０は、例えば、ＣＰＵによる演算処理等に利用されるＲＡＭと、所定のプログラムを格納したＲＯＭと、各種データベース（ＤＢ）等を格納するＨＤＤとを備える。本実施形態では、記憶手段２０は、パラメータ記憶手段２１を備えている。このパラメータ記憶手段２１は、ノード装置２で生成されるパラメータ情報や隣り合ったノード装置から取得したパラメータ情報を登録するＤＢを記憶するものであり、一般的なハードディスクから構成される。
【００３７】
パラメータ情報とは、従来オペレータにより入力設定されていたリンクに関するネットワーク情報を指すものである。パラメータ情報は、リンクが制御リンク５であるのかデータリンク６であるのかという相違や、リンクの運用方法の相違によって、様々なパラメータを指す。パラメータ情報は、例えば、ケーブルで特定されるリンクに付与するリンク名（IF Name）や、ケーブルが挿入されるインタフェース（またはそのチャネル）に付与するアドレス（Address）等を示す。なお、データリンク６の属性情報としては、リンク名、Switching type、Encording type、最小帯域、最大帯域等が挙げられる。また、パラメータ情報には、複数のリンクを１つに束ねたものを総称するＴＥ（Traffic Engineering）リンク情報も含まれる。なお、設定された後のパラメータ情報は、隣り合ったノード装置２間で対をなす構造を有することとなる。
【００３８】
パラメータ生成手段３０は、ネットワークのサービスを行うためにリンクに関して自ノード装置側に設定することが必要なパラメータ情報を、記憶手段２０に予め保持した元となる情報に基づいて生成するものである。本実施形態では、パラメータ生成手段３０は、自ノード装置にリンクが接続されたことをトリガにパラメータ情報を自動払い出しを行う。つまり、パラメータ生成手段３０は、インタフェース４にケーブルが挿入されたことを検出し、検出をトリガに、そのケーブルで特定されるパラメータ情報を自動生成し、パラメータ記憶手段２１に格納されたＤＢに登録する。なお、インタフェース４にケーブルが挿入されたことを検出するタイミングは、動作中でも起動時でもよい。
【００３９】
また、本実施形態では、パラメータ生成手段３０は、記憶手段２０のＲＯＭ等に予め保持したノード識別子に基づいてパラメータ情報を生成する（払い出しを行う）。その生成方法は、ノード識別子を活用すれば特に限定されるものではなく、インタフェース４にケーブルが挿入されたときに、生成した所定値と、ノード識別子（例えば「ａ」）とを組み合わせるランダム選択法でもよい。
【００４０】
ここで、所定値を生成する方法は、例えば、インタフェース４の個数より大きい値、例えば、「１００」からランダムに選択してもよい。このとき、そのケーブルを識別する番号の数値が小さいものから優先的に選択するか、または、数値が大きいものから優先的に選択してもよい。また、所定値を生成する方法は、例えば、ケーブルを挿入するインタフェース４に対応して割り当てられたスロット番号の若い順に数値を「１，２，３，４」のように選択してもよい。また、インタフェース４にケーブルが挿入された順番に所定値（以前の番号に１を加算した値）を生成してもよい。具体的には、所定値「２」を生成した場合に、「２ａ」、「ａ２」、「ａ＋２」、「ａ＊２」などの単純な組み合わせのパラメータ情報を生成できる。このようなランダム選択方法は、そのアルゴリズムの実現が容易である。
【００４１】
さらに、所定の規則にしたがってパラメータ情報を生成することも可能である。例えば、ノード識別子が、１，２，…のような数値の場合に、その数値を変換する関数を予め用意してもよいし、その数値を入力値とした出力値を予めテーブル化した変換テーブルを用意してもよい。また、インタフェース４にケーブルが挿入された時刻情報を検出して所定値を生成してノード識別子と組み合わせてもよい。
【００４２】
パラメータ交換手段４０は、自ノード装置２と隣り合うノード装置２との間で、パラメータ情報を交換し、生成されたパラメータ情報と、取得したパラメータ情報とを関連付けてネットワーク情報として設定するものである。本実施形態では、図３に示すように、パラメータ交換手段４０は、パラメータ交換要求送信手段４１と、パラメータ交換要求受信手段４２と、格納手段４３と、パラメータ情報送信手段４４と、パラメータ情報受信手段４５とを備えている。図３では、パラメータ情報を交換する際に必要な機能だけを強調するために、ノード装置２ｂに、パラメータ交換要求送信手段４１と、格納手段４３と、パラメータ情報受信手段４５とを記載し、かつ、ノード装置２ｃに、パラメータ交換要求受信手段４２と、格納手段４３と、パラメータ情報送信手段４４とを記載したが、各ノード装置２ｂ、２ｃともパラメータ交換手段４０の全要素を備えるものとする。
【００４３】
パラメータ交換要求送信手段４１は、隣に配置されたノード装置２に対して、隣に配置されたノード装置２で生成されたパラメータ情報の取得を要求するために、自ノード装置２で自動払い出ししたパラメータ情報を含むパラメータ交換要求を送信するものである。
パラメータ交換要求受信手段４２は、隣に配置されたノード装置２から、パラメータ交換要求を受信するものである。
【００４４】
格納手段４３は、後記するパラメータ情報受信手段４５で受信した隣のノード装置２のパラメータ情報を、自ノード装置２で自動払い出ししたパラメータ情報に関連付けてパラメータ記憶手段２１に格納されたＤＢに登録する。
また、格納手段４３は、パラメータ交換要求受信手段４２で受信したパラメータ交換要求に含まれる隣のノード装置２のパラメータ情報を、自ノード装置２で自動払い出ししたパラメータ情報に関連付けてパラメータ記憶手段２１に格納されたＤＢに登録する。
【００４５】
パラメータ情報送信手段４４は、パラメータ交換要求受信手段４２で受信したパラメータ交換要求に応じて、自ノード装置２で自動払い出ししたパラメータ情報を、要求先のノード装置２に送信するものである。
パラメータ情報受信手段４５は、パラメータ交換要求に応じて隣に配置されたノード装置２から送信されたパラメータ情報を受信するものである。
【００４６】
通知手段５０は、自ノード装置２で生成したパラメータ情報、および、自ノード装置２の隣に配置されたノード装置２から取得したパラメータ情報のうちの少なくとも一方を管理装置３に通知するものである。本実施形態では、管理装置３が、各ノード装置２ｂ、２ｃでパラメータ情報を交換した後で設定される全情報を収集できるのであれば、ノード装置２ｂ、２ｃのいずれがどのタイミングで通知してもよいものとしている。なお、後記する動作の説明においてタイミングを例示する。
【００４７】
なお、前記したパラメータ生成手段３０、パラメータ交換手段４０および通知手段５０は、ＣＰＵが記憶手段のＨＤＤ等に格納された所定のプログラムをＲＡＭに展開して実行することにより実現されるものである。
【００４８】
＜管理装置＞
管理装置３は、例えば、一般的なパーソナルコンピュータやサーバ装置等から構成される。管理装置３は、その機能として、図３に示すように、ノード装置２から送信されるパラメータ情報を受信するパラメータ情報受信手段６１と、受信したパラメータ情報を記憶手段６３に格納する格納手段６２と、パラメータ情報を登録するＤＢを記憶する記憶手段６３とを備えている。なお、管理装置３ごとに、収集機能を分担して割り当ててパラメータ情報を収集するようにしてもよい。
【００４９】
以下では、ノード装置２によるパラメータ情報の自動生成動作および交換動作について、制御プレーン（制御リンク５に関する情報）を第１実施形態、データプレーン（データリンクに関する情報）を第２実施形態として分けて、図４ないし図１０を順次参照（適宜図１ないし図３を参照）しつつ説明することとする。
【００５０】
（第１実施形態）
第１実施形態においては、パラメータ情報は、自ノード装置に接続される制御リンク５に関する自ノード装置の属性情報を示す。なお、制御リンク５は、データが流れるデータリンクを制御するための制御信号が流れるリンクである。
【００５１】
＜１つの制御リンクに関するパラメータ設定＞
図４は、本発明の第１実施形態に係る処理の流れ（その１）を示すシーケンス図である。事前に、ノード装置２ｂは、ノード識別子を付与されている（ステップＳ１０１）。これにより、光ＩＰ網１００において各ノード装置２は一意に特定が可能となっている。まず、ノード装置２ｂで保持する制御プレーンのための運用側（Active側）のリンク（制御リンク５の１つ）のために敷設されたケーブルが、運用側の制御リンク５のチャネルに対応したインタフェース４に挿入される（ステップＳ１０２）。そして、ノード装置２ｂは、インタフェース４にケーブルが挿入されたことをトリガに、パラメータ生成手段３０により、パラメータ情報を自動生成し、パラメータ記憶手段２１のＤＢに登録して保持する（ステップＳ１０３）。ここで生成されるパラメータ情報は、例えば、Link Up Portへのリンク名やAddress等である。
【００５２】
ステップＳ１０３において、割当てられるパラメータ情報は、制御プレーンを構築するために必要なパラメータであり、運用側の制御リンク５に付与するリンク名（IF Name）やチャネルに付与するアドレス（Address）等の属性情報である。また、この際に払い出されたアドレス（Address）は、光ＩＰ網１００に一意なノード識別子と合わせて管理されるため、このアドレス（Address）自体も光ＩＰ網１００にてユニークなものとなる。なお、ノード装置２ｂが払い出すアドレス（Address）範囲を事前にノード装置２ｂに対し設定保持させることも可能である。この場合も、光ＩＰ網１００において制御リンク５に割り振られたアドレスをユニークなものとすることができる。
【００５３】
同様に、ノード装置２ｂの隣り合ったノードであるノード装置２ｃも、ノード識別子を事前に付与されており（ステップＳ２０１）、ノード装置２ｃで保持する運用側の制御リンク５のために敷設されたケーブルが、対応するインタフェース４に挿入され（ステップＳ２０２）、ノード装置２ｃは、インタフェース４にケーブルが挿入されたことをトリガに、パラメータ生成手段３０により、運用側の制御リンク５に付与するリンク名やAddressを自動生成し、パラメータ記憶手段２１のＤＢに登録してパラメータ情報として保持する（ステップＳ２０３）。
【００５４】
次に、ノード装置２ｂは、隣りあったノード装置２ｃのパラメータ情報を取得するために、パラメータ交換手段４０のパラメータ交換要求送信手段４１によって、自身（ノード装置２ｂ）が生成して設定したパラメータ情報（Address情報等）を含めたパラメータ交換要求情報をノード装置２ｃへ送信する（ステップＳ１０４）。つまり、パラメータ情報の交換を要求する。これにより、ノード装置２ｃは、パラメータ交換要求受信手段４２によって、ノード装置２ｂから送信されたパラメータ交換要求情報を受信する（ステップＳ２０４）。そして、ノード装置２ｃは、格納手段４３により、受信したパラメータ交換要求情報に含まれるノード装置２ｂのパラメータ情報（ノード装置２ｃにとっての隣接パラメータ情報）をパラメータ記憶手段２１のＤＢに登録して保持する（ステップＳ２０５）。また、ノード装置２ｃは、パラメータ記憶手段２１のＤＢから、自身（ノード装置２ｃ）が生成して設定されたパラメータ情報（Address情報等）を読み出し、パラメータ情報送信手段４４によって、読み出したパラメータ情報をノード装置２ｂへ送信する（ステップＳ２０６）。これにより、ノード装置２ｂは、パラメータ情報受信手段４５によって、ノード装置２ｃが送信したパラメータ情報（ノード装置２ｂにとっての隣接パラメータ情報）を受信し（ステップＳ１０５）、格納手段４３によって、受信した隣接パラメータ情報を、パラメータ記憶手段２１のＤＢに登録して保持する（ステップＳ１０６）。
【００５５】
なお、ノード装置２ｂは、ステップＳ１０６の前後またはそれと並行して、通知手段５０によって、自ら生成したパラメータ情報と取得した隣接パラメータ情報とを管理装置３に対して通知することが可能である。同様に、ノード装置２ｃも、ステップＳ２０６の前後または並行して、通知手段５０によって、自ら生成したパラメータ情報と取得した隣接パラメータ情報とを管理装置３に対して通知することができる。この場合、管理装置３は、パラメータ情報受信手段６１によって、パラメータ情報を受信し、格納手段６２によって、受信したパラメータ情報を、記憶手段６３のＤＢに登録し、各ノード装置２に付与されたノード識別子と関連付けて保持することが可能である。
【００５６】
なお、また、ノード装置２ｂ、２ｃのネットワーク情報設定に関する処理については、一般的なコンピュータに、前記した各ステップを実行させるプログラム（ネットワーク情報設定プログラム）をそれぞれが実行することで実現することもできる。これらのプログラムは、通信回線を介して配布することも可能であるし、ＣＤ−ＲＯＭ等の記録媒体に書き込んで配布することも可能である。
【００５７】
＜複数の制御リンクに関するパラメータ設定＞
次に、制御リンク５が、隣り合うノード装置間で、運用側の制御リンクと予備側の制御リンクとからなる冗長構成を有している場合について説明する。冗長構成になっている場合には、運用側の制御チャネルは、図４を参照して説明したように設定される。したがって、予備側の制御チャネルも同様に設定される。これにより、単純な冗長構成についての複数の制御チャネルの設定ができる。さらに、冗長構成をとる制御プレーンにおいては、ネットワークの安定運用のために、運用側と予備側（Standby側）の制御チャネルを論理的に束ねて論理チャネルを用いて運用管理することがある。そこで、ここでは、ノード装置２のパラメータ生成手段３０が、生成した運用側および予備側の制御リンクに関する情報と関連付けて保持するために、パラメータ情報として、１つの論理チャネルの情報をさらに生成することとする。そして、パラメータ交換手段４０は、運用側および予備側の制御リンクに関する情報を交換した後で、論理チャネルの情報も交換し、ノード装置２のＤＢにおいて、交換により取得した論理チャネルの情報を、自ら生成した論理チャネルの情報に関連付けることとする。以下、その流れについて図５を参照して説明する。
【００５８】
図５は、本発明の第１実施形態に係る処理の流れ（その２）を示すシーケンス図である。前記した図４のシーケンスの処理に引き続いて、ノード装置２ｂは、ノード装置２ｂで保持する制御プレーンのための予備側のリンク（制御リンク５の１つ）のために敷設されたケーブルが、予備側の制御リンク５のチャネルに対応したインタフェース４に挿入されたことをトリガに、パラメータ生成手段３０により、予備側の制御リンク５に付与するリンク名やAddressを自動生成し、パラメータ記憶手段２１のＤＢに登録してパラメータ情報として保持する（ステップＳ１０７）。
【００５９】
同様に、ノード装置２ｃは、ノード装置２ｃで保持する予備側の制御リンク５のために敷設されたケーブルが、予備側の制御リンク５のチャネルに対応したインタフェース４に挿入されたことをトリガに、パラメータ生成手段３０により、予備側の制御リンク５に付与するリンク名やAddressを自動生成し、パラメータ記憶手段２１のＤＢに登録してパラメータ情報として保持する（ステップＳ２０７）。
【００６０】
以下、ノード装置２ｂ、２ｃが実行する処理のうち、ステップＳ１０８〜Ｓ１１０およびステップＳ２０８〜Ｓ２１０の各処理は、パラメータ情報が予備側の制御リンク５に関するものであることを除いて、図４に示したステップＳ１０４〜Ｓ１０６およびステップＳ２０４〜Ｓ２０６の各処理と同様なパラメータ交換動作を示すものなので説明を省略する。
【００６１】
Ｓ１１０およびステップＳ２１０の処理に続いて、ノード装置２ｂ、２ｃは、制御プレーンを構成する運用側制御チャネルと予備側制御チャネルとを束ねた論理チャネルにて制御プレーンの運用管理を行うために、パラメータ生成手段３０により、パラメータ情報として、論理チャネルのためのパラメータをそれぞれ生成する（ステップＳ１１１、ステップＳ２１１）。このとき、ノード装置２ｂ、２ｃは、パラメータ記憶手段２１のＤＢにおいて、運用側および予備側制御チャネルに論理チャネルをマッピングして保持する。ここで、マッピングとは、論理チャネルのパラメータ情報（オブジェクト）を、運用側および予備側制御チャネルのパラメータ情報を登録したデータベースに格納可能な単純な値のグループに変換すること（Object Relational Mapping）を示す。なお、論理チャネルのためのパラメータ情報は、論理リンクアドレス等（以下、Logical IFという）を示す。
【００６２】
以下、ノード装置２ｂ、２ｃが実行する処理のうち、ステップＳ１１２〜Ｓ１１４およびステップＳ２１２〜Ｓ２１４の各処理は、パラメータ情報が論理チャネル（Logical IF）に関するものであることを除いて、図４に示したステップＳ１０４〜Ｓ１０６およびステップＳ２０４〜Ｓ２０６の各処理と同様なパラメータ交換動作を示すものなので説明を省略する。なお、図５では、隣のノードから取得して自ノードのＤＢに格納する論理チャネル（Logical IF）の情報については、「Remote」と表記した。
【００６３】
このパラメータ交換動作において、ノード装置２ｃは、論理チャネルのためのパラメータをＤＢに登録する際には、それ以前に登録したノード装置２ｂの運用側チャネルまたは予備側チャネルのためのパラメータ情報を関連付けることとする。また、ノード装置２ｂは、格納手段４３により、以前取得したノード装置２ｃの運用側または予備側制御チャネルのパラメータと関連付けて、論理チャネルのパラメータ情報を格納する。
【００６４】
Ｓ１１４およびステップＳ２１４の処理に続いて、ノード装置２ｂ、２ｃは、格納した予備側チャネルのパラメータと論理チャネル（Logical IF）のパラメータ情報（またはいずれか一方）を、通知手段５０により、管理装置３に対し送信することが可能である（ステップＳ１１５，Ｓ２１５）。この場合、管理装置３は、パラメータ情報受信手段６１によって、予備側チャネルのパラメータと論理チャネル（Logical IF）のパラメータ情報（またはいずれか一方）を受信し（ステップＳ３０１）、格納手段６２によって、受信したパラメータ情報を、記憶手段６３のＤＢに登録し（ステップＳ３０２）、各ノード装置２に付与されたノード識別子と関連付けて保持することが可能である。
【００６５】
＜パラメータ情報の交換の具体例＞
図６は、制御リンクのパラメータ情報の交換の具体例を示す説明図である。（ａ）は隣り合った２つのノード装置２ｂ、２ｃ、（ｂ）および（ｄ）はノード装置２ｂに登録された設定内容の経時経過の一例、（ｃ）および（ｅ）はノード装置２ｃに登録された設定内容の経時経過の一例をそれぞれ示している。ここでは、図６（ａ）に示すように、双方のノード装置２は３個ずつのインタフェース４を有し、これらを区別するために、ノード装置２ｂのインタフェースを６０１，６０２，６０３と表記し、ノード装置２ｃのインタフェースを６０４，６０５，６０６と表記することとする。また、双方のノード装置２は２本の制御リンクを有し、これらを区別するために、インタフェース６０１，６０４に接続された制御リンクを６１１と表記し、インタフェース６０２，６０５に接続された制御リンクを６１２と表記する。なお、図６（ａ）では説明上、制御リンクとインタフェースとの間を空けて示したが、実際には接続されている。
【００６６】
図６（ｂ）に示すように、ノード装置２ｂは、ＤＢにおいて、制御チャネルおよび論理チャネルに対するパラメータ情報として、ローカルインタフェースＩＤ（以下、Ｌbと表記する）の項目と、リモートインタフェースＩＤ（以下、Ｒbと表記する）の項目とを有している。同様に、図６（ｃ）に示すように、ノード装置２ｃは、ＤＢにおいて、制御チャネルおよび論理チャネルに対するパラメータ情報として、ローカルインタフェースＩＤ（以下、Ｌcと表記する）の項目と、リモートインタフェースＩＤ（以下、Ｒcと表記する）の項目とを有している。
【００６７】
ノード装置２ｂは、制御リンク６１１に接続された運用側のインタフェース（ＩＦ）６０１に対して、パラメータ情報「ｍ」を生成し、図６（ｂ）に示すように、ＤＢのＬbの項目に登録する。そして、図６（ａ）に示すように、ノード装置２ｂは、当該制御リンク６１１を介して、パラメータ情報「ｍ」を要求メッセージ６２１に含めてノード装置２ｃに送信する。また、ノード装置２ｂは、制御リンク６１２に接続された予備側のＩＦ６０２に対して、パラメータ情報「ｐ」を生成し、同様にノード装置２ｃに送信する。一方、ノード装置２ｃは、制御リンク６１１に接続された運用側のインタフェース（ＩＦ）６０４に対して、パラメータ情報「ｎ」を生成し、図６（ｃ）に示すように、ＤＢのＬcの項目に登録する。また、ノード装置２ｃは、制御リンク６１２に接続された予備側のＩＦ６０５に対して、パラメータ情報「ｑ」を生成し、同様に登録する。
【００６８】
そして、ノード装置２ｃは、図６（ａ）に示すように、要求メッセージ６２１に含まれるパラメータ情報「ｍ」を、当該制御リンク６１１を介してＩＦ６０４で受信し、受信したパラメータ情報「ｍ」を、図６（ｅ）に示すように、ＤＢのＲcの項目に登録する。また、ノード装置２ｃは、パラメータ情報「ｐ」を、制御リンク６１２を介してＩＦ６０５で受信し、受信したパラメータ情報「ｐ」を、図６（ｅ）に示すように、ＤＢのＲcの項目に登録する。また、ノード装置２ｃは、図６（ａ）に示すように、ＩＦ６０４で受信した要求メッセージ６２１に応答してＤＢのＬcの項目から読み出したパラメータ情報「ｎ」６２２をノード装置２ｂに送信する。また、ＩＦ６０５で受信した要求メッセージに応答してＤＢのＬcの項目から読み出したパラメータ情報「ｑ」をノード装置２ｂに送信する。
【００６９】
そして、ノード装置２ｂは、図６（ａ）に示すように、パラメータ情報「ｎ」６２２をＩＦ６０１で受信し、受信したパラメータ情報「ｎ」を、図６（ｄ）に示すように、ＤＢのＲbの項目に登録する。また、ノード装置２ｂは、パラメータ情報「ｑ」をＩＦ６０２で受信し、受信したパラメータ情報「ｑ」を、図６（ｄ）に示すように、ＤＢのＲbの項目に登録する。これにより、図６（ｄ）に示す制御チャネルの設定内容と、図６（ｅ）に示す制御チャネルの設定内容とは、ローカルインタフェースＩＤおよびリモートインタフェースＩＤに関して対称に配置されることとなる。なお、この例では、後記する論理チャネルのパラメータ交換を前提としたため、運用側および予備側を一度に交換するものとして説明したが、図４および図５のシーケンスを連続して行うことにより、運用側のパラメータ交換を行ってから、予備側のパラメータ交換を行うこともできる。
【００７０】
続いて、ノード装置２ｂは、運用側の制御チャネルと予備側の制御チャネルとを束ねた論理チャネルに対して、パラメータ情報「Ｖ」を生成し、生成したパラメータ情報「Ｖ」を、図６（ｄ）に示すように、運用側の制御チャネルおよび予備側の制御チャネルに対してマッピングする（関連付ける）。同様に、ノード装置２ｃは、運用側の制御チャネルと予備側の制御チャネルとを束ねた論理チャネルに対して、パラメータ情報「Ｗ」を生成し、生成したパラメータ情報「Ｗ」を、図６（ｅ）に示すように、運用側の制御チャネルおよび予備側の制御チャネルに対してマッピングする（関連付ける）。さらに、ノード装置２ｂ、２ｃが論理チャネルに対してそれぞれ生成したパラメータ情報「Ｖ」と「Ｗ」は、前記した手順と同様にして交換される。つまり、図６（ｄ）のＲbに「Ｗ」が登録され、図６（ｅ）のＲcに「Ｖ」が登録されることになる。なお、要求メッセージやその応答メッセージの送受信は、制御リンク６１１，６１２のいずれを用いてもよい。これにより、ノード装置２ｂ、２ｃの論理チャネルの各設定内容も、ローカルインタフェースＩＤおよびリモートインタフェースＩＤに関して対称に配置されることとなる（図示は省略する）。
【００７１】
＜３台のノード装置によるパラメータ情報の交換の具体例＞
図７は、両隣のノード装置との間のパラメータ情報の交換の具体例を示す説明図である。ここでは、３台のノード装置２ａ，２ｂ，２ｃを想定する。ノード装置２ａ，２ｂ間では、ノード装置２ａのインタフェース４ａ（４）と、ノード装置２ｂのインタフェース４ｂ（４）とは、制御リンク５ａ（５）で接続される。また、ノード装置２ｂ、２ｃ間では、ノード装置２ｂのインタフェース４ｃ（４）と、ノード装置２ｃのインタフェース４ｄ（４）とは、制御リンク５ｂ（５）で接続される。
【００７２】
このうち、ノード装置２ｂ、２ｃ間におけるパラメータ情報の交換は、図４のシーケンス図で説明したものと同様なので同一の工程に同一の符号を付している。これにより、ノード装置２ｂのパラメータ記憶手段２１ｂ（２１）のＤＢには、ノード装置２ｂ、２ｃ間の設定パラメータとして、「ｂ2」、「ｃ1」が順次登録される。同様に、ノード装置２ｃのパラメータ記憶手段２１ｃ（２１）のＤＢには、ノード装置２ｂ、２ｃ間の設定パラメータとして、「ｃ1」、「ｂ2」が順次登録される。
【００７３】
ノード装置２ａ，２ｂ間においても同様にパラメータ情報が交換される。つまり、図7に示すノード装置２ａ，２ｂ間のステップＳ７１〜ステップＳ７６の各処理は、ノード装置２ｂ、２ｃ間のステップＳ１０３、Ｓ２０３、Ｓ１０４、Ｓ２０４およびＳ２０５、Ｓ２０６、Ｓ１０５およびＳ１０６の各処理に対応している。したがって、詳細な説明は省略する。これにより、ノード装置２ａのパラメータ記憶手段２１ａ（２１）のＤＢには、ノード装置２ａ，２ｂ間の設定パラメータとして、「ａ1」、「ｂ1」が順次登録される。同様に、ノード装置２ｂのパラメータ記憶手段２１ｂ（２１）のＤＢには、ノード装置２ａ，２ｂ間の設定パラメータとして、「ｂ1」、「ａ1」が順次登録される。
【００７４】
その結果、両隣のノード装置との間でパラメータ情報の交換を行ったノード装置２ｂは、パラメータ記憶手段２１ｂ（２１）のＤＢに、制御リンク５ａ（５）、制御リンク５ｂ（５）に対応した設定パラメータ情報を独立に保有することとなる。なお、ノード装置２ａ，２ｂ間に、さらに別の制御リンク５が接続された場合には、その制御リンクは、ノード装置２ａ，２ｂ間の予備側の制御リンクとして機能させるので、制御リンク５ａ（５）と共に関連付けてＤＢに登録される。
【００７５】
第１実施形態によれば、ノード装置２は、制御プレーンを構成するための運用側チャネル、予備側チャネル、または、それらを束ねた安定運用のための論理チャネルについて自立的にパラメータ情報を設定できる。したがって、サービス提供のため制御メッセージを交換するための制御プレーンを構築することが可能となる。また、ノード装置２がパラメータ情報を自動設定することから、オペレータによる設定を不要にすることができる。その結果、オペレータによる初期登録ミスや修正時の登録ミスを防止できると共に、ノード装置２や管理装置３のオペレータの負担が軽減される。
【００７６】
（第２実施形態）
第２実施形態においては、パラメータ情報は、自ノード装置に接続されるデータリンク６に関する自ノード装置の属性情報を示す。これらは、データプレーンを構築するために必要なパラメータであり、具体的には、アドレスやインタフェース種別等の属性情報である。
【００７７】
＜１つのデータリンクに関するパラメータ設定＞
図８は、本発明の第２実施形態に係る処理の流れ（その１）を示すシーケンス図である。事前に、ノード装置２ｂは、ノード識別子を付与されている。これにより、光ＩＰ網１００において各ノード装置２は一意に特定が可能となっている。まず、ノード装置２ｂで保持するデータプレーンを構成するためのデータリンク６のために敷設されたケーブルが、データリンク６のチャネルに対応したインタフェース４に挿入される（ステップＳ４０１）。そして、ノード装置２ｂは、インタフェース４にケーブルが挿入されたことをトリガに、パラメータ生成手段３０により、パラメータ情報を自動生成し、パラメータ記憶手段２１のＤＢに登録して保持する（ステップＳ４０２）。
【００７８】
ステップＳ４０２において、割当てられるパラメータ情報は、データプレーンを構築するために必要なパラメータであり、データリンク６に付与するリンク名（IF Name）、インタフェース種別（IF Type）、アドレス（Address）等の属性情報である。また、この際に払い出されたAddressは、光ＩＰ網１００に一意なノード装置の識別子と合わせて管理されるため、このAddressも光ＩＰ網１００にてユニークなものとなる。なお、ノード装置が払い出すAddress範囲を事前にノード装置に対し設定保持させることも可能である。この場合も、光ＩＰ網１００においてデータリンク６に割り振られたアドレスをユニークなものとすることができる。
【００７９】
同様に、ノード装置２ｃも、ノード識別子を事前に付与されており、ノード装置２ｃで保持するデータプレーンを構成するためのデータリンク６のために敷設されたケーブルが、対応するインタフェース４に挿入され（ステップＳ５０１）、ノード装置２ｃは、インタフェース４にケーブルが挿入されたことをトリガに、パラメータ生成手段３０により、データリンク６に付与するパラメータ情報を自動生成し、パラメータ記憶手段２１のＤＢに登録して保持する（ステップＳ５０２）。
【００８０】
以下、ノード装置２ｂ、２ｃが実行する、ステップＳ４０３〜Ｓ４０６およびステップＳ５０３〜Ｓ５０６の各処理、ならびに、管理装置３が実行するステップＳ６０１，Ｓ６０２は、パラメータ情報がデータリンク６に関するものであることを除いて、図５に示したステップＳ１１２〜Ｓ１１５およびステップＳ２１２〜Ｓ２１５ならびに、管理装置３が実行するステップＳ３０１，Ｓ３０２の各処理と同様なパラメータ交換動作を示すものなので説明を省略する。なお、図８では、隣のノードから受信および自ノードのＤＢに格納するデータリンク（Data link）の情報については、「Remote」と表記した。また、ノード装置２が複数のデータリンク６を保持する場合には、前記した作業をデータリンクの本数分だけ実行すればよい。
【００８１】
＜バンドルリンクに関するパラメータ設定＞
データリンク６が、隣り合うノード装置２間で、複数のデータリンク６を論理的に１つに束ねたリンクを示すバンドルリンクの構成を有している場合について説明する。各データリンク６については、図８を参照して説明したように、設定される。さらに、ここでは、ノード装置２のパラメータ生成手段３０が、複数のデータリンクに関する情報と関連付けて保持するためにバンドルリンクの情報をさらに生成することとする。そして、パラメータ交換手段４０は、ノード装置間で交換するパラメータ情報として、複数のデータリンクに関する情報を交換すると共に、バンドルリンクの情報をも交換し、双方のノード装置２のＤＢにおいて関連付けることとする。以下、その流れについて図９を参照して説明する。
【００８２】
図９は、本発明の第２実施形態に係る処理の流れ（その２）を示すシーケンス図である。ここでは、前記した図８のシーケンスの作業が、データリンクの本数分だけ実行されたことを前提とする。そして、ノード装置２は、図示しないインスタンスによって、自身が保持する複数のデータリンク６を１つに束ねて管理するためのバンドル設定を行ったものとする。
【００８３】
これらの前提の上で、まず、ノード装置２ｂとノード装置２ｃは、既にバンドル設定されたリンク（バンドルリンク３１０：図２参照）に対し、パラメータ生成手段３０により、アドレス等のパラメータ情報を生成する（ステップＳ４０７、ステップＳ５０７）。このとき、ノード装置２ｂ、２ｃは、バンドルリンクにより束ねられた複数のデータリンク６にバンドルリンクをマッピングし、パラメータ記憶手段２１のＤＢに保持する。なお、バンドルリンクのためのパラメータ情報は、アドレス等（以下、Bundled TE-Link情報という）を示す。
【００８４】
次に、ノード装置２ｂは、パラメータ交換要求送信手段４１により、自ノード装置２ｂで払い出した複数のデータリンク６を束ねたバンドルリンクのパラメータ情報を、ノード装置２ｃに送信する（ステップＳ４０８）。この際、バンドルリンクにより束ねられた複数のデータリンク６のパラメータ情報を含めた情報を送信することも可能である。
【００８５】
ノード装置２ｃは、パラメータ交換要求受信手段４２により、ノード装置２ｂが送信したバンドルリンクのパラメータ情報等を受信し（ステップＳ５０８）、格納手段４３により、ＤＢにおいて関連する複数のデータリンク６とくくりつけて（関連付けて）バンドルリンクの情報を格納する（ステップＳ５０９）。次に、ノード装置２ｃは、バンドルリンクに所属する自身の複数のデータリンク６を確認し、バンドルリンクに割り振られたパラメータ情報を（必要があれば、複数のデータリンク６のパラメータ情報も）パラメータ情報送信手段４４により、ノード装置２ｂに送信する（ステップＳ５１０）。
【００８６】
ノード装置２ｂは、パラメータ情報受信手段４５により、ノード装置２ｃが送信したバンドルリンクのパラメータ情報を（必要があれば複数のデータリンク６のパラメータ情報も）受信し（ステップＳ４０９）、格納手段４３により、受信したパラメータと、自身のバンドルリンクやバンドルリンクにより束ねられた複数のデータリンク６と、を関連付けて格納する（ステップＳ４１０）。なお、図９では、パラメータ情報交換の際に、隣のノードから受信および自ノードのＤＢに格納するバンドルリンクのパラメータ情報（Bundled TE-Link情報）については、「Remote」と表記し、送信する情報を「Local」と表記した。
【００８７】
次に、ノード装置２ｂとノード装置２ｃは、格納された、バンドルリンクのパラメータ情報を、バンドルリンクにより束ねられた複数のデータリンク情報と一緒に、通知手段５０により、管理装置３に対し送信することが可能である（ステップＳ４１１、ステップＳ５１１）。この場合、管理装置３は、パラメータ情報受信手段６１によって、バンドルリンクのパラメータ情報等を受信し（ステップＳ６０３）、格納手段６２によって、受信したパラメータ情報を、記憶手段６３のＤＢに登録し（ステップＳ６０４）、各ノード装置２に付与されたノード識別子と関連付けて保持する。
【００８８】
図１０は、データリンクのパラメータ情報の交換の具体例を示す説明図である。
（ａ）は隣り合った２つのノード装置２ｂ、２ｃ、（ｂ）はノード装置２ｂに登録された設定内容の一例、（ｃ）はノード装置２ｃに登録された設定内容の一例をそれぞれ示している。ここでは、図１０（ａ）に示すように、双方のノード装置２は４個ずつのインタフェース４を有し、これらを区別するために、ノード装置２ｂのインタフェースを７０１，７０２，７０３，７０４と表記し、ノード装置２ｃのインタフェースを７１１，７１２，７１３，７１４と表記することとする。また、双方のノード装置２は計４本のデータリンクを有している。データリンク７２１は、インタフェース７０１，７１１に接続されている。データリンク７２２は、インタフェース７０２，７１２に接続されている。データリンク７２３は、インタフェース７０３，７１３に接続されている。データリンク７２４は、インタフェース７０４，７１４に接続されている。なお、図１０（ａ）では説明上、データリンクとインタフェースとの間を空けて示したが、実際には接続されている。
【００８９】
図１０（ｂ）に示すように、ノード装置２ｂは、ＤＢにおいて、データリンクおよびバンドルリンクに対するパラメータ情報として、Ｌbの項目と、Ｒbの項目とを有している。同様に、図１０（ｃ）に示すように、ノード装置２ｃは、ＤＢにおいて、データリンクおよびバンドルリンクに対するパラメータ情報として、Ｌcの項目と、Ｒcの項目とを有している。
【００９０】
ノード装置２ｂ、２ｃは、それぞれ各データリンクに接続されたインタフェース（ＩＦ）に対して、パラメータ情報を生成し、パラメータ交換により、図１０（ｂ），図１０（ｃ）にそれぞれ示すように、ＤＢにそれぞれ対称に登録する。ここでは、データリンク７２１，７２２を１つに束ねたバンドル設定がなされているものとする。また、データリンク７２３，７２４を１つに束ねたバンドル設定がなされているものとする。
【００９１】
そして、図１０（ａ）に示すように、ノード装置２ｂは、例えば、データリンク７２１を介して、データリンク７２１，７２２を束ねたバンドルリンクのパラメータ情報「α」を要求メッセージ７３１に含めてノード装置２ｃに送信する。また、ノード装置２ｂは、データリンク７２３，７２４を束ねたバンドルリンクに対して、パラメータ情報「β」を生成し、同様にノード装置２ｃに送信する。一方、ノード装置２ｃは、データリンク７２１，７２２を束ねたバンドルリンク、および、データリンク７２３，７２４を束ねたバンドルリンクに対してパラメータ情報「φ」、「θ」をそれぞれ生成し登録しておく。このとき、ノード装置２ｃは、ＤＢにおいて、バンドルリンクの情報と、束ねられている各データリンクの情報とを対応付ける。そして、ノード装置２ｃは、ノード装置２ｂとの間でバンドルリンクの情報を交換し、ＤＢにおいて、束ねられている各データリンクの情報と対応付ける。つまり、図１０（ｂ）のＲbに「φ」、「θ」が登録され、図１０（ｃ）のＲcに「α」、「β」が登録されることになる。これにより、交換の結果、ノード装置２ｂ、２ｃのＤＢにおいて、バンドルリンクの各設定内容も、ローカルインタフェースＩＤおよびリモートインタフェースＩＤに関して対称に配置されることとなる（図示は省略する）。
【００９２】
第２実施形態によれば、ノード装置２は、データプレーンを構成するためのデータリンク６、または、複数のデータリンク６を束ねたバンドルリンクの自立的なパラメータ設定により、サービス提供のためにパスを確立する際に必要なデータプレーンを構築することが可能となる。また、ノード装置２がパラメータ情報を自動設定することから、オペレータによる設定を不要にすることができる。その結果、オペレータによる初期登録ミスや修正時の登録ミスを防止できると共に、ノード装置２や管理装置３のオペレータの負担が軽減される。
【００９３】
以上、本発明の各実施形態について説明したが、本発明はこれらに限定されるものではなく、その趣旨を変えない範囲で実施することができる。例えば、ノード装置２は、パラメータ交換手段４０として、パラメータ交換要求送信手段４１、パラメータ交換要求受信手段４２、格納手段４３、パラメータ情報送信手段４４およびパラメータ情報受信手段４５を有したベストモードで構成されるものとしたが、例えば、ノード装置２ａ，２ｄのようにネットワークの端部（境界）に配設される装置は、パラメータ交換手段４０の要素のうち図２に示した組み合わせのみを備えるように構成してもよい。
【００９４】
なお、各実施形態では、設定が終了した際、各ノード装置２が、管理装置３に対し、設定内容を通知するものとしたが、一方のノード装置２だけが通知を実行するようにしてもよいし、通知処理自体を省略することも可能である。また、ノード装置２がシステム内で担う役割によって優先順位を付与し、システム内で優先順位が高いノード装置２の方から、パラメータの交換を要求することもできる。
【図面の簡単な説明】
【００９５】
【図１】本発明の実施形態に係るネットワーク情報設定システムの構成図である。
【図２】図１に示した光ＩＰ網の制御プレーンとデータプレーンを説明するための説明図である。
【図３】図１に示したノード装置の一例を示す機能ブロック図である。
【図４】本発明の第１実施形態に係る処理の流れ（その１）を示すシーケンス図である。
【図５】本発明の第１実施形態に係る処理の流れ（その２）を示すシーケンス図である。
【図６】制御リンクのパラメータ情報の交換の具体例を示す説明図である。
【図７】両隣のノード装置との間のパラメータ情報の交換の具体例を示す説明図である。
【図８】本発明の第２実施形態に係る処理の流れ（その１）を示すシーケンス図である。
【図９】本発明の第２実施形態に係る処理の流れ（その２）を示すシーケンス図である。
【図１０】データリンクのパラメータ情報の交換の具体例を示す説明図である。
【符号の説明】
【００９６】
１      光ＩＰ網
２（２ａ，２ｂ，２ｃ，２ｄ）  ノード装置
３      管理装置
４      インタフェース
５      データリンク
６      制御リンク
１０    入出力手段
２０    記憶手段
２１    パラメータ記憶手段
３０    パラメータ生成手段
４０    パラメータ交換手段
４１    パラメータ交換要求送信手段
４２    パラメータ交換要求受信手段
４３    格納手段
４４    パラメータ情報送信手段
４５    パラメータ情報受信手段
５０    通知手段
６１    パラメータ情報受信手段
６２    格納手段
６３    記憶手段
【図１】
0005001797.tif 000002
【図２】
0005001797.tif 000003
【図３】
0005001797.tif 000004
【図４】
0005001797.tif 000005
【図５】
0005001797.tif 000006
【図６】
0005001797.tif 000007
【図７】
0005001797.tif 000008
【図８】
0005001797.tif 000009
【図９】
0005001797.tif 000010
【図１０】
0005001797.tif 000011